(57)【特許請求の範囲】
【請求項１】
一端にボルト挿通孔が形成され、他端に雄ファスナーが設けられた封印紐と、ボルト挿通孔が中央に形成され、雄ファスナーが両端部に設けられた基体と、ボルトを覆うキャップが中央に形成され、封印紐の雄ファスナーを係止する雌ファスナーがキャップの上に設けられ、基体の雄ファスナーを係止する雌ファスナーがキャップの両端部に設けられた蓋体とより構成されたことを特徴とする計器の封印具。
【請求項２】
前記基体に設けられた雄ファスナーの両側には補強板が設けられ、前記蓋体に設けられた雌ファスナーの両側には補強板と係合する溝が形成されている請求項１に記載のボルトの封印具。
【請求項３】
前記基体は合成樹脂で成形され、前記雄ファスナー及び補強板は基体に対して直角に折り曲げられている請求項２に記載のボルトの封印具。
【発明の詳細な説明】
【０００１】
【発明の属する技術分野】
本発明は、権限のない人が計器を調整及び分解しないようにするための、計器の封印具に関するものである。
【０００２】
【従来の技術】
流量計や電力計のように商取引の数値を計量する計器は、素人が調整及び分解すると精度が保てなくなる。また、精度を故意に変えて不正をすることがある。そこで計器を封印し、封印を壊さなければ調整及び分解できないようにし、権限がない人が調整及び分解することを防止している。このような計器の封印具でボルトの部分は、特開昭６０ー１４２７９号の公報に記載されている。この封印具は帯状板と封印ブロックとで構成され、帯状板の中央に開けた孔にボルトを挿通し、ボルトの頭の上側へ折り曲げた帯状板を封印ブロックで分離不能に係止している。しかし、ボルトの頭部を覆っているのは帯状板で、２面に隙間ができ、この隙間の部分へ工具を挿入し、封印具を壊すことなくボルトを外される虞がある。そのために、権限がない人がボルトを外して計器を調整及び分解してもこれを見分けることができない。また、計器の封印具で調整ダイヤルの部分は、ワイヤを用いて封印している。
【０００３】
【発明が解決しようとする課題】
そこで本発明は、封印具を壊さなければ計器を調整したり分解できず、計器を調整及び分解した場合はこれを容易に検知できるようにし、権限のない人が調整及び分解して計器の精度が落ちたり、計器の精度を故意に変えて不正することを防止できる計器の封印具を提供することを目的としている。
【０００４】
【課題を解決するための手段】
上記目的を達成するために、本発明は、一端にボルト挿通孔が形成され、他端に雄ファスナーが設けられた封印紐と、ボルト挿通孔が中央に形成され、雄ファスナーが両端部に設けられた基体と、ボルトを覆うキャップが中央に形成され、封印紐の雄ファスナーを係止する雌ファスナーがキャップの上に設けられ、基体の雄ファスナーを係止する雌ファスナーがキャップの両端部に設けられた蓋体とより構成されているので、封印具を壊さなければ計器を調整及び分解できず、計器を調整及び分解した場合はこれを容易に検知でき、権限のない人が調整及び分解して計器の精度が落ちたり、計器の精度を故意に変えて不正することを防止できるようになる。
【０００５】
そして、前記基体に設けられた雄ファスナーの両側には補強板が設けられ、前記蓋体に設けられた雌ファスナーの両側には補強板と係合する溝が形成されているので、補強板によりボルトは強固に封印でき、ボルトを外そうとする誘惑を押さえることができるようになる。
【０００６】
また、前記基体は合成樹脂で成形され、前記雄ファスナー及び補強板は基体に対して直角に折り曲げられているので、ボルトの封印具を安価に作ることができる。
【０００７】
【発明の実施の形態】
以下、本発明の実施の形態を説明する。図１に示すように、計器の封印具の封印紐１は、紐２の一端にボルト挿通孔３が形成され、他端に雄ファスナー４が設けられている。この封印紐１は合成樹脂で成形され、紐２の長さは約１５センチメートルで、太さは約２ミリメートルである。
【０００８】
計器の封印具の基体５の中央にはボルト挿通孔６が形成され、両端には雄ファスナー７が設けられ、雄ファスナー７の両側には補強板８が設けられている。そして、Ｖ字状の切り欠き９で雄ファスナー７及び補強板８が区画され、切り欠き９の所で直角に折り曲げられるようになっている。この基体５の厚さは、約２ミリメートルの合成樹脂板で成形されている。
【０００９】
計器の封印具の蓋体１０の中央にはボルトの頭が収まるキャップ１１が形成され、キャップの１１の上に形成された凸部１２には後述する雌ファスナー１３が設けられている。そして、キャップ１１の両端に形成された凸部１４には、雌ファスナー１５が設けられ、雌ファスナー１５の両側に溝１６が設けられている。雌ファスナー１３は封印紐１の雄ファスナー４を係止し、雌ファスナー１５は基体５の雄ファスナー７を係止し、溝１６は基体５の補強板８が挿入されて封印を強固なものとする。
【００１０】
図２に示すように、基体５へ蓋体１０を組み合わせると、雄ファスナー７は雌ファスナー１５に挿入されて係止され、抜くことができないようになる。また、補強板８は溝１６に挿入され、基体５と蓋体１０は強固に一体となる。そして、封印紐１の雄ファスナー４を凸部１２の雌ファスナー１３に挿入すると、雄ファスナー４は雌ファスナー１３に係止され、抜くことができないようになる。
【００１１】
次に図３、４に基づいて、流量計や電力計のような計器ＭのボルトＢ及び調整ダイヤルＤの固定ピンＰを封印する例を説明する。計器の封印具を取り付けるには、封印紐１及び基体５のボルト挿通孔３、６を通してボルトＢを計器Ｍのボルト孔Ｈへねじ込む。そして、雄ファスナー７及び補強板８をＶ字状の切り欠き９に沿って直角に折り曲げる（図３）。次に、蓋体１０のキャップ１１をボルトＢに、凸部１４の雌ファスナー１５を雄ファスナー７に、溝１６を補強板８に位置させて押し込むと、雄ファスナー７は雌ファスナー１５に係止され、補強板８は溝１６に挿入され、基体５と蓋体１０は強固に一体となって分離できなくなる。そして、封印紐１の雄ファスナー４を調整ダイヤルＤの固定ピンＰの孔に通し、雄ファスナー４を凸部１２の雌ファスナー１３へ挿入すると、雄ファスナー４は雌ファスナー１３に係止される。最後に凸部１２に社印等を刻印する（図４）。
【００１２】
計器Ｍの調整のために権限を有する人が調整ダイヤルＤを回して調整するには、封印紐１の紐２をペンチなどで切断し、ピンＰを抜いておこなう。また、計器Ｍの蓋Ｃを外して保守点検をするには、ペンチなどで機器の封印具の蓋体１０を壊しておこなう。そして、計器Ｍの調整又は保守点検後には、新しい計器の封印具を用いてボルトＢ及び調整ダイヤルＤのピンＰを封印する。このように調整ダイヤルＤを回したり、ボルトＢを外すには計器の封印具が壊されるので、計器の封印具を持っている人以外の者が調整ダイヤルＤを回したりボルトＢを外したことが容易に知ることができ、権限を有しない人による調整及び分解を防止できる。
【００１３】
【発明の効果】
以上説明したように本発明は、一端にボルト挿通孔が形成され、他端に雄ファスナーが設けられた封印紐と、ボルト挿通孔が中央に形成され、雄ファスナーが両端部に設けられた基体と、ボルトを覆うキャップが中央に形成され、封印紐の雄ファスナーを係止する雌ファスナーがキャップの上に設けられ、基体の雄ファスナーを係止する雌ファスナーがキャップの両端部に設けられた蓋体とより構成されているので、封印具を壊さなければ計器を調整及び分解できず、計器を調整及び分解した場合はこれを容易に検知でき、権限のない人が調整及び分解して計器の精度が落ちたり、計器の精度を故意に変えて不正することを防止できるようになる。
【図面の簡単な説明】
【図１】本発明の計器の封印具の斜視図である。
【図２】本発明の計器の封印具のファスナー部分の断面図である。
【図３】機器の封印具で機器を封印する状態を示す斜視図である。
【図４】機器の封印具で機器を封印した状態の断面図である。
【符号の説明】
１  封印紐
２  紐
３  ボルト挿通孔
４  雄ファスナー
５  基体
６  ボルト挿通孔
７  雄ファスナー
８  補強板
９  切り欠き
１０  蓋体
１１  キャップ
１２  凸部
１３  雌ファスナー
１４  凸部
１５  雌ファスナー
１６  溝
Ｂ  ボルト
Ｃ  蓋
Ｄ  調整ダイヤル
Ｍ  計器
Ｐ  ピン
【図１】
0003728926.tif 000002
【図２】
0003728926.tif 000003
【図３】
0003728926.tif 000004
【図４】
0003728926.tif 000005